(57)【特許請求の範囲】
【請求項１】
乗りかごの内壁面又は乗場壁の所定の領域を覆うように設けられ、前記乗りかごを操作するための複数の操作釦が設けられた操作釦部および前記乗りかごの位置している階を表示するインジケータを表示する液晶表示装置と、
前記液晶表示装置の周辺領域の乗客の高さを検出する検出部と、
前記検出部により検出された高さから、前記乗客が操作しやすい高さ位置である第１位置を算出して前記第１位置に前記操作釦部を表示するとともに、前記検出部により検出された高さから、前記第１位置より高く前記乗客の視認性が高い高さ位置である第２位置を算出して前記第２位置に前記インジケータを表示するように前記液晶表示装置を制御する制御部と、
を備えたことを特徴とするエレベータ。
【請求項２】
請求項１に記載のエレベータにおいて、
前記制御部は、前記検出部が検出した乗客の高さが低い場合には、前記検出部が検出した乗客の高さが低くない場合に表示される前記複数の操作釦の配列とは異なる操作し易い配列で前記液晶表示装置に前記操作釦部を表示させることを特徴とするエレベータ。
【請求項３】
請求項１または請求項２に記載のエレベータにおいて、
前記所定の領域は、
前記乗りかごの内壁面又は前記乗場壁において、底辺の高さが前記乗りかごの床面又は乗場の床面から５０センチメートル〜１００センチメートルの位置に設けられ、縦方向に１５０センチメートル〜２００センチメートルの長さを有し、かつ、横方向に５０センチメートル〜１００センチメートルの長さを有する四角形の領域であることを特徴とするエレベータ。
【請求項４】
請求項１から請求項３のいずれか１項に記載のエレベータにおいて、
前記液晶表示装置の周辺領域は成人男性一人が入ることが可能な領域であることを特徴とするエレベータ。
【発明の詳細な説明】
【技術分野】
【０００１】
本発明は、エレベータに関する。
【背景技術】
【０００２】
エレベータの利用者は、かご操作装置等に設けられる操作釦を操作する必要がある。本発明に関連する技術として、例えば、特許文献１には、乗場に設けるエレベータ呼びの操作盤において、乗場側の操作盤の取付箇所に、細長い開口を設け、この開口に操作盤の取付部を挿入し、これを開口内の任意の位置に移動固定してなることを特徴とするエレベータの乗場操作盤が開示されている。
【先行技術文献】
【特許文献】
【０００３】
【特許文献１】特開平０２−２０４２８６号公報
【発明の概要】
【発明が解決しようとする課題】
【０００４】
ところで、当該エレベータの利用者は、身長が高い大人だけでなく、子供や車椅子の利用者等、様々であり、操作釦の高さがその利用者に適切であるとは限らない。
【０００５】
本発明の目的は、エレベータの利用者に適した操作釦の位置とすることができるエレベータを提供することである。
【課題を解決するための手段】
【０００６】
本発明に係るエレベータは、乗りかごの内壁面又は乗場壁の所定の領域を覆うように設けられ、前記乗りかごを操作するための複数の操作釦が設けられた操作釦部および前記乗りかごの位置している階を表示するインジケータを表示する液晶表示装置と、前記液晶表示装置の周辺領域の乗客の高さを検出する検出部と、前記検出部により検出された高さから、前記乗客が操作しやすい高さ位置である第１位置を算出して前記第１位置に前記操作釦部を表示するとともに、前記検出部により検出された高さから、前記第１位置より高く前記乗客の視認性が高い高さ位置である第２位置を算出して前記第２位置に前記インジケータを表示するように前記液晶表示装置を制御する制御部と、を備えたことを特徴とする。
【０００７】
また、本発明に係るエレベータにおいて、制御部は、検出部が検出した乗客の高さが低い場合には、検出部が検出した乗客の高さが低くない場合に表示される複数の操作釦の配列とは異なる操作し易い配列で液晶表示装置に操作釦部を表示させることが好ましい。
【０００８】
また、本発明に係るエレベータにおいて、前記所定の領域は、前記乗りかごの内壁面又は前記乗場壁において、底辺の高さが前記乗りかごの床面又は乗場の床面から５０センチメートル〜１００センチメートルの位置に設けられ、縦方向に１５０センチメートル〜２００センチメートルの長さを有し、かつ、横方向に５０センチメートル〜１００センチメートルの長さを有する四角形の領域であることが好ましい。
【００１０】
また、本発明に係るエレベータにおいて、液晶表示装置の周辺領域は成人男性一人が入ることが可能な領域であることが好ましい。
【発明の効果】
【００１１】
本発明によれば、エレベータの利用者に適した操作釦の位置とすることができる。
【図面の簡単な説明】
【００１２】
【図１】本発明に係る実施の形態において、エレベータを示す図である。
【図２】本発明に係る実施の形態において、乗りかご内の様子を示す図である。
【図３】本発明に係る実施の形態において、各階の乗場の乗場扉の周囲の様子を示す図である。
【図４】本発明に係る実施の形態において、（ａ）は一般的な成人男性の乗客が乗場の乗場操作装置の周辺にいる場合を示す図であり、（ｂ）は一般的な子供の乗客が乗場の乗場操作装置の周辺にいる場合を示す図である。
【図５】本発明に係る実施の形態において、（ａ）は一般的な成人男性の乗客が乗りかご内のかご操作装置の周辺にいる場合を示す図であり、（ｂ）は車椅子利用者の乗客が乗りかご内のかご操作装置の周辺にいる場合を示す図である。
【発明を実施するための形態】
【００１３】
以下に図面を用いて、本発明に係る実施の形態を詳細に説明する。また、以下では、全ての図面において、同様の要素には同一の符号を付し、重複する説明を省略する。また、本文中の説明においては、必要に応じそれ以前に述べた符号を用いるものとする。
【００１４】
図１は、エレベータ１０を示す図である。図２は、乗りかご２０内の様子を示す図である。図３は、各階の乗場２７の乗場扉２８の周囲の様子を示す図である。エレベータ１０は、主ロープ１２と、釣合錘１４と、巻上機１６と、制御盤１８と、乗りかご２０と、乗場扉２８と、昇降路３０とを備える。また、エレベータ１０は、乗りかご２０について、各階の乗場２７の間を昇降させることで乗客を移動させる。
【００１５】
主ロープ１２は、乗りかご２０を吊るすためのロープであり、巻上機１６に巻き掛けられている。そして、主ロープ１２の一方端は乗りかご２０に接続され、他方端は釣合錘１４が接続されている。
【００１６】
釣合錘１４は、主ロープ１２の他方端に接続され、主ロープ１２の一方端に接続される乗りかご２０との間でバランスを取るために必要な重量が設定される。
【００１７】
巻上機１６は、制御盤１８の制御によって、巻き掛けられた主ロープ１２を駆動させることで乗りかご２０を昇降させるための装置である。また、巻上機１６は、機械室８に配置されている。
【００１８】
乗りかご２０は、制御盤１８の制御によって、巻上機１６が作動すると昇降路３０内を昇降し、乗客を乗せるための構造物である。乗りかご２０の内部空間は、所定の人数が乗車できる程度の広さを有し、一例をあげると、底面が２００センチメートル×２００センチメートル＝４ｍ2の面積を有し、高さが２５０センチメートルを有する空間である。乗りかご２０は、かご操作装置２４と、乗りかご扉２６とを含む。
【００１９】
かご操作装置２４は、乗りかご２０内に乗り込んだ乗客が行先階を選択したり、乗りかご扉２６を開閉したりするための押釦２４２と、乗りかご２０が位置している階やその他の情報を表示するインジケータ２４４を表示する液晶表示装置である。かご操作装置２４は、乗りかご２０の側壁のうち乗りかご扉２６の隣の袖壁２０ａに取り付けられ、その大きさは、縦方向が１５０センチ〜２００センチであり、横方向が５０センチメートル〜１００センチメートルの四角形であることが好適である。そして、かご操作装置２４の底辺２４６が乗りかご２０内の床面２０ｂから５０センチ〜１００センチ程度の位置となるように取り付けられていることが好適である。
【００２０】
かご側センサ２５は、乗りかご２０内の天井部２０ｃ付近に取り付けられ、かご操作装置２４の周辺領域にいる人の高さを測定するセンサである。かご側センサ２５として、例えば、光学式の変位センサを用いることができるが、もちろん、これ以外の変位センサを用いてもよい。例えば、超音波式の変位センサやレーザフォーカス式の変位センサを用いることもできる。
【００２１】
乗りかご扉２６は、乗りかご２０に設けられる扉であり、乗りかご２０が各階の乗場２７に着床した際に、当該乗場２７の乗場扉２８ともに開く。これにより、乗客が乗りかご２０に対して乗り降りすることができる。
【００２２】
乗場扉２８は、各乗場２７に設けられる扉であり、乗りかご２０が着床した際に、乗りかご扉２６とともに開く。これにより、乗客が乗りかご２０に対して乗り降りすることができる。
【００２３】
各階の乗場２７には、縦枠３２ａ，３２ｂと横枠３２ｃとから構成される乗場三方枠３２と、乗場操作装置３４と、乗場扉２８とが設けられている。
【００２４】
乗場操作装置３４は、乗りかご２０を呼ぶための呼び釦３４２と、乗りかご２０が位置している階やその他の情報を表示するインジケータ３４４を表示する液晶表示装置である。乗場操作装置３４は、乗場扉２８の隣の乗場壁３５に取り付けられ、その大きさは、縦方向が１５０センチ〜２００センチであり、横方向が５０センチメートル〜１００センチメートルの四角形であることが好適である。そして、乗場操作装置３４の底辺３４６が乗場２７の床面２７ａから５０センチ〜１００センチ程度の位置となるように取り付けられていることが好適である。
【００２５】
乗場側センサ３６は、乗場壁３５のうち乗場操作装置３４の上方に取り付けられ、乗場操作装置３４の周辺領域にいる人の高さを測定するセンサである。乗場側センサ３６として、例えば、光学式の変位センサを用いることができるが、もちろん、これ以外の変位センサを用いてもよい。例えば、超音波式の変位センサやレーザフォーカス式の変位センサを用いることもできる。
【００２６】
乗場扉２８は、乗場三方枠３２の縦枠３２ａ，３２ｂと横枠３２ｃとによって区画された開口領域３７を開閉可能な片開き式の扉である。もちろん、乗場扉２８は両開き式扉であってもよい。
【００２７】
乗場三方枠３２の縦枠３２ａ，３２ｂと横枠３２ｃとは、乗客が乗りかご２０に対して乗り降りするための出入り口となる開口領域３７を区画するために、各階の乗場２７に設けられる部材である。縦枠３２ａ，３２ｂと横枠３２ｃとは、適当な強度を有し、かつ、強磁性を有する部材で構成される。例えば、鉄を用いて構成することができる。
【００２８】
制御盤１８は、乗りかご扉２６、乗場扉２８の自動開閉制御や乗りかご２０の昇降動作制御等といったエレベータ１０全体を制御する機能を有する。また、制御盤１８は、かご側センサ２５と乗場側センサ３６が検出した高さに応じてかご操作装置２４と乗場操作装置３４とを制御する機能を有するが、制御盤１８はこの機能を特徴としているので、以下において詳述する。
【００２９】
制御盤１８は、かご操作装置２４の周辺領域にいる乗客の高さに応じて、当該乗客が最も作業しやすい高さの位置を算出し、液晶表示装置であるかご操作装置２４の対応する位置に押釦２４２を表示させる。また、制御盤１８は、上記乗客の高さに応じて、乗客が見やすい高さの位置を算出し、かご操作装置２４の対応する位置にインジケータ２４４を表示させる。ここで、例えば、乗客が最も作業しやすい高さの位置とは、身長が１８０センチメートルの場合には、押釦２４２の中央部分が１４０センチメートルとなる位置であり、最も見やすい位置とは、インジケータの中央部分が１７０センチメートルとなる位置である。もちろん、これらの値は例示であって、適宜変更することが可能である。
【００３０】
また、上記と同様の要領で、制御盤１８は、乗場操作装置３４の周辺領域にいる乗客の高さに応じて、液晶表示装置である乗場操作装置３４において、当該乗客にとって適切な高さとなる位置に呼び釦３４２とインジケータ３４４を表示させる。なお、かご操作装置２４及び乗場操作装置３４の周辺領域は、それぞれ成人男性一人が入ることが可能な領域であるが、当該領域に複数の人が入っている場合には、その平均の高さを求めて、乗客の最も作業しやすい高さや見やすい高さを求める。
【００３１】
続いて、上記構成のエレベータ１０の作用について説明する。
【００３２】
図４（ａ）は、一般的な成人男性の乗客４０が乗場２７の乗場操作装置３４の周辺にいる場合を示す図である。図４（ｂ）は、一般的な子供の乗客４２が乗場２７の乗場操作装置３４の周辺にいる場合を示す図である。図４（ａ）に示されるように、成人男性の乗客４０が乗場２７の乗場操作装置３４の周辺にいると、乗場側センサ３６によって乗客４０の高さが検出され、制御盤１８の制御によって、乗場操作装置３４では乗客４０にとって適切な高さ位置に押釦３４２とインジケータ３４４が表示される。また、図４（ｂ）に示されるように、子供の乗客４２が乗場２７の乗場操作装置３４の周辺にいると、乗場側センサ３６によって乗客４２の高さが検出され、制御盤１８の制御によって、乗場操作装置３４では乗客４２にとって適切な高さ位置に押釦３４２とインジケータ３４４が表示される。
【００３３】
図５（ａ）は、一般的な成人男性の乗客４４が乗りかご２０内のかご操作装置２４の周辺にいる場合を示す図である。図５（ｂ）は、車椅子利用者の乗客４６が乗りかご２０内のかご操作装置２４の周辺にいる場合を示す図である。図５（ａ）に示されるように、成人男性の乗客４４がかご操作装置２４の周辺にいると、かご側センサ２５によって乗客４４の高さが検出され、制御盤１８の制御によって、かご操作装置２４では乗客４４にとって適切な高さ位置に押釦２４２とインジケータ２４４が表示される。また、図５（ｂ）に示されるように、車椅子利用者の乗客４６がかご操作装置２４の周辺にいると、かご側センサ２５によって乗客４６の高さが検出され、制御盤１８の制御によって、かご操作装置２４では乗客４６にとって適切な高さ位置に押釦２４２とインジケータ２４４が表示される。ここで、図５（ａ）では、押釦２４２は２列で表示されていたが、図５（ｂ）では、押釦２４２は２列又は３列で表示されており、配列が変更される。
【００３４】
このように、エレベータ１０によれば、エレベータ１０の利用者の高さに応じて、押釦２４２，３４２、インジケータ２４４，３４４を当該利用者に適切な位置とすることができる。
【符号の説明】
【００３５】
８  機械室、１０  エレベータ、１２  主ロープ、１４  釣合錘、１６  巻上機、１８制御盤、２０  乗りかご、２０ａ  袖壁、２０ｃ  天井部、２４  かご操作装置、２５  かご側センサ、２６  乗りかご扉、２７  乗場、２７ａ  底面、２８  乗場扉、３０  昇降路、３２  乗場三方枠、３２ａ，３２ｂ  縦枠、３２ｃ  横枠、３４  乗場操作装置、３５  乗場壁、３６  乗場側センサ、３７  開口領域、４０，４２，４４，４６  乗客、２４２，３４２  押釦、２４４，３４４  インジケータ、２４６，３４６  底辺。
【図１】
0005944151.tif 000002
【図２】
0005944151.tif 000003
【図３】
0005944151.tif 000004
【図４】
0005944151.tif 000005
【図５】
0005944151.tif 000006